(57)【特許請求の範囲】
【請求項１】
搭載物を搭載可能な荷台と、
前記荷台を走行可能に支持する走行装置と、
前記荷台に搭載され、前記走行装置を駆動する原動機と、
前記荷台の後部に取り付けられ、マルチフィルムを敷設するマルチフィルム敷設装置と、
前記荷台の後方に設けられたツールバーと、
前記ツールバーに接続されて後方に延びる接続棒と、
を備え、
前記マルチフィルム敷設装置は、
前記接続棒に取り付けられ且つ前記荷台の幅方向において前記マルチフィルムの端部を押さえるフィルム押え器と、
前記接続棒に取り付けられ且つ前記フィルム押え器により押えられたマルチフィルムの側縁部に土をかける覆土器と、
を有している台車。
【請求項２】
前記フィルム押え器は、前記荷台の幅方向の端部よりも内側に配置され且つ当該内側において前記マルチフィルムの端部を押さえる請求項１に記載の台車。
【請求項３】
前記荷台は、当該荷台の幅方向の一方側及び他方側に夫々配置され且つ前後方向に延びる側部フレームを有し、
前記側部フレームの後端部には、前記荷台の幅方向の軸芯を有する支軸が設けられ、
前記ツールバーは、前記支軸に支持されている請求項１又は２に記載の台車。
【請求項４】
前記荷台の後端部から下方に向けて延びる垂下部材と、
前記ツールバーに固定された連結部材と、
前記垂下部材と前記連結部材とを連結する付勢部材と、を備え、
前記ツールバーは、前記支軸の軸芯回りに回転可能に支持され、
前記マルチフィルム敷設装置は、前記ツールバーに取り付けられており、該ツールバーを回転させることで、マルチフィルムを敷設する第１姿勢と、この第１姿勢から上方に退避した第２姿勢とに姿勢変更可能とされており、
前記付勢部材は、前記ツールバーを前記支軸の軸心回りに上方に回転させる力を補助する請求項１〜３のいずれか１項に記載の台車。
【請求項５】
前記付勢部材は、一端側が前記連結部材に突設された第１係止部に係止され、他端側が前記垂下部材に突設された第２係止部に係止され、前記第２係止部は、前記第１係止部の前方且つ下方に設けられており、
前記付勢部材は、伸長する方向の付勢力を有しており、前記第１姿勢では短縮した状態となり、前記第２姿勢では伸長した状態となり、
前記ツールバーは、前記第１姿勢では前記支軸の下方に位置し、前記第２姿勢では前記支軸の後方に位置する請求項４に記載の台車。
【請求項６】
前記荷台に搭載された給水タンクを備え、
前記荷台の前部に前記給水タンクが搭載され、前記荷台の後部に前記原動機が搭載され、前記荷台の後部であって且つ前記原動機の後方に前記マルチフィルム敷設装置が取り付けられている請求項１〜５のいずれか１項に記載の台車。
【請求項７】
前記給水タンクから水を吸い上げるポンプを備え、
前記ポンプは、前記原動機の前方であって且つ前記給水タンクと前記荷台の幅方向に並んだ位置に配置されている請求項６に記載の台車。
【請求項８】
前記給水タンクは、畝に植え付けられた苗に灌水する灌水装置に給水するための水を貯留するタンクである請求項６又は７に記載の台車。
【請求項９】
前記荷台の後部に前記走行装置を操作する操作レバーが設けられ、
前記操作レバーは、前記荷台の幅方向の一方側寄りの位置であって、且つ前記マルチフィルム敷設装置の幅方向中心からずれた位置に設けられている請求項６〜８のいずれか１項に記載の台車。
【請求項１０】
前記操作レバーは、前記給水タンクの幅方向中心からずれた位置に設けられている請求項９に記載の台車。
【請求項１１】
前記原動機は、前記荷台の幅方向の一方側寄りの位置に設けられ、
前記操作レバーは、前記原動機を覆うカバーから突出して設けられている請求項９又は１０に記載の台車。
【請求項１２】
前記給水タンクを前記荷台上に固定するためのバンドを備え、
前記荷台には、前記バンドを係止するための係止部が設けられている請求項６〜１１のいずれか１項に記載の台車。
【発明の詳細な説明】
【技術分野】
【０００１】
本発明は、例えば、畝にマルチフィルムを敷設するマルチ作業機を備えた台車に関する。
【背景技術】
【０００２】
従来、マルチ作業機を取り付け可能にした畝間走行運搬車が知られている（特許文献１参照）。特許文献１に記載された畝間走行運搬車は、クローラ走行装置から立設した支脚で支持された荷台を有し、荷台の前部を取り外してマルチ作業機を取り付けることが可能な構成とされている。
【先行技術文献】
【特許文献】
【０００３】
【特許文献１】特開２０００−５３０３３号公報
【発明の概要】
【発明が解決しようとする課題】
【０００４】
しかしながら、特許文献１に記載された畝間走行運搬車では、荷台の前部にマルチ作業機を取り付ける構成であるため、作業者はマルチフィルムの敷設作業（マルチ作業）を行う際に、畝間走行運搬車を後方（荷台の後部側）に向かって走行させながら作業を行わなければならない。つまり、この畝間走行運搬車は、単なる運搬車として使用する際には前方（荷台の前部側）に向かって走行させるが、マルチ作業を行う際には後方（荷台の後部側）に向かって走行させるように構成されている。そのため、作業者は、マルチ作業を行う際には、後退しながら畝間走行運搬車を走行させなければならず、作業性が悪いという問題があった。
【０００５】
本発明は、上記したような従来技術の課題を解決すべくなされたものであって、運搬車として使用する場合だけでなくマルチ作業を行う際にも作業性に優れているマルチ作業機を備えた台車を提供することを目的とする。
【課題を解決するための手段】
【０００６】
前記技術的課題を解決するために本発明が講じた技術的手段は、以下に示す点を特徴とする。
本発明の台車は、搭載物を搭載可能な荷台と、前記荷台を走行可能に支持する走行装置と、前記荷台に搭載され、前記走行装置を駆動する原動機と、前記荷台の後部に取り付けられ、マルチフィルムを敷設するマルチフィルム敷設装置と、前記荷台の後方に設けられたツールバーと、前記ツールバーに接続されて後方に延びる接続棒と、を備え、前記マルチフィルム敷設装置は、前記接続棒に取り付けられ且つ前記荷台の幅方向において前記マルチフィルムの端部を押さえるフィルム押え器と、前記接続棒に取り付けられ且つ前記フィルム押え器により押えられたマルチフィルムの側縁部に土をかける覆土器と、を有している。
【０００７】
また、前記フィルム押え器は、前記荷台の幅方向の端部よりも内側に配置され且つ当該内側において前記マルチフィルムの端部を押さえる。
また、前記荷台は、当該荷台の幅方向の一方側及び他方側に夫々配置され且つ前後方向に延びる側部フレームを有し、前記側部フレームの後端部には、前記荷台の幅方向の軸芯を有する支軸が設けられ、前記ツールバーは、前記支軸に支持されている。
【０００８】
また、前記荷台の後端部から下方に向けて延びる垂下部材と、前記ツールバーに固定された連結部材と、前記垂下部材と前記連結部材とを連結する付勢部材と、を備え、前記ツールバーは、前記支軸の軸芯回りに回転可能に支持され、前記マルチフィルム敷設装置は、前記ツールバーに取り付けられており、該ツールバーを回転させることで、マルチフィルムを敷設する第１姿勢と、この第１姿勢から上方に退避した第２姿勢とに姿勢変更可能とされており、前記付勢部材は、前記ツールバーを前記支軸の軸心回りに上方に回転させる力を補助する。
また、前記付勢部材は、一端側が前記連結部材に突設された第１係止部に係止され、他端側が前記垂下部材に突設された第２係止部に係止され、前記第２係止部は、前記第１係止部の前方且つ下方に設けられており、前記付勢部材は、伸長する方向の付勢力を有しており、前記第１姿勢では短縮した状態となり、前記第２姿勢では伸長した状態となり、前記ツールバーは、前記第１姿勢では前記支軸の下方に位置し、前記第２姿勢では前記支軸の後方に位置する。
【０００９】
また、前記荷台に搭載された給水タンクを備え、前記荷台の前部に前記給水タンクが搭載され、前記荷台の後部に前記原動機が搭載され、前記荷台の後部であって且つ前記原動機の後方に前記マルチフィルム敷設装置が取り付けられている。
また、前記給水タンクから水を吸い上げるポンプを備え、前記ポンプは、前記原動機の前方であって且つ前記給水タンクと前記荷台の幅方向に並んだ位置に配置されている。
また、前記給水タンクは、畝に植え付けられた苗に灌水する灌水装置に給水するための水を貯留するタンクである。
【００１０】
また、前記荷台の後部に前記走行装置を操作する操作レバーが設けられ、前記操作レバーは、前記荷台の幅方向の一方側寄りの位置であって、且つ前記マルチフィルム敷設装置の幅方向中心からずれた位置に設けられている。
また、前記操作レバーは、前記給水タンクの幅方向中心からずれた位置に設けられている。
また、前記原動機は、前記荷台の幅方向の一方側寄りの位置に設けられ、前記操作レバーは、前記原動機を覆うカバーから突出して設けられている。
また、前記給水タンクを前記荷台上に固定するためのバンドを備え、前記荷台には、前記バンドを係止するための係止部が設けられている。
【発明の効果】
【００１１】
本発明によれば、以下の効果を奏する。
台車は、搭載物を搭載可能な荷台と、荷台を走行可能に支持する走行装置と、荷台に搭載されて走行装置を駆動する原動機と、荷台の後部に取り付けられてマルチフィルムを敷設するマルチフィルム敷設装置とを備えている。そのため、台車を走行装置により前進させながら、荷台の後部に取り付けられたマルチフィルム敷設装置によりマルチフィルムの敷設作業を行うことができる。言い換えれば、荷台に搭載物を搭載して運搬車として使用する場合とマルチ作業を行う場合とで、台車の進行方向を切り換える必要がない。そのため、台車を前進させて、搭載物（水タンク等）を運搬しながら、同時にマルチ作業を行うことが可能であり、作業性に優れている。
【００１２】
また、マルチフィルム敷設装置を、マルチフィルムを敷設する第１姿勢と、この第１姿勢から上方に退避した第２姿勢とに姿勢変更可能とすることにより、マルチ作業を行わない場合には、マルチフィルム敷設装置を上方に退避させることができる。そのため、台車を、マルチ作業を行わずに運搬車として使用する場合に、マルチフィルム敷設装置が邪魔になることがない。
【００１３】
また、荷台に搭載された給水タンクを備え、この給水タンクが、畝に植え付けられた苗に灌水する灌水装置に給水するための水を貯留するタンクであることにより、台車に搭載された給水タンクから灌水装置へと水を供給して、当該灌水装置から苗に灌水することができる。また、灌水装置とは別の台車の荷台上にタンクの設置場所を確保することができるため、タンクの容量を大きくすることが可能となり、必要な灌水量が多い場合にも対応することができる。
【００１４】
また、荷台の後部に走行装置を操作する操作レバーが設けられ、操作レバーは、荷台の幅方向の一方側寄りの位置であって、且つマルチフィルム敷設装置の幅方向中心からずれた位置に設けられている。そのため、作業者は、荷台の後部側方を歩きながら、マルチフィルム敷設装置に妨げられずに操作レバーを操作することができ、操作性に優れている。
また、操作レバーが、給水タンクの幅方向中心からずれた位置に設けられていることにより、給水タンクにより前方の視界を妨げられることなく操作レバーを操作することができる。
【００１５】
また、原動機が荷台の幅方向の一方側寄りの位置に設けられ、操作レバーが原動機を覆うカバーから突出して設けられていることにより、作業者は、荷台の後部側方を歩きながら、カバーから突出した操作レバーを操作することができ、操作性に優れている。
また、給水タンクを荷台上に固定するためのバンドを備え、荷台にはバンドを係止するための係止部が設けられていることにより、給水タンクを荷台上に確実に固定することができる。
【００１６】
また、ツールバーが、第１姿勢では支軸の下方に位置し、第２姿勢では支軸の後方に位置することにより、確実にマルチフィルム敷設装置を上方に退避させることができる。
【図面の簡単な説明】
【００１７】
【図１】台車の側面図である。
【図２】台車の平面図である。
【図３】マルチフィルム敷設装置を取り外した台車の平面図である。
【図４】荷台前部を右側から見た図である。
【図５】荷台にホース支持部材を取り付けた状態を示す側面図である。
【図６】図５のＡ−Ａ断面図である。
【図７】図５のＢ−Ｂ断面図である。
【図８】図５のＣ−Ｃ断面図である。
【図９】荷台にホース支持部材を取り付けた状態を示す部分平面図である。
【図１０】図９の楕円内拡大図であって、図６のＤ−Ｄ断面図である。
【図１１】ホース支持部材を右側の側部フレームに取り付けた状態を示す平面図である。
【図１２】ホース支持部材を左側の側部フレームに取り付けた状態を示す平面図である。
【図１３】ホース支持部材を前部フレームに取り付けて右方に延設した状態を示す平面図である。
【図１４】ホース支持部材を前部フレームに沿って取り付けて左方に延設した状態を示す平面図である。
【図１５】ホース支持部材を収納した状態を示す平面図である。
【図１６】マルチフィルム敷設装置の平面図である。
【図１７】畝成形器の周辺を示す平面図である。
【図１８】畝成形器の周辺を示す側面図である。
【図１９】マルチフィルム敷設装置を上方に退避させた状態を示す側面図である。
【図２０】マルチフィルム敷設装置の部分平面図である。
【図２１】向き調整機構の平面図である。
【図２２】覆土器とフィルム押え器の側面図である。
【図２３】ロール支持器の部分側面図である。
【図２４】移植機の側面図である。
【図２５】移植機の平面図である。
【図２６】機体の側面図である。
【図２７】灌水装置の左側の側面図である。
【図２８】灌水装置の平面断面図である。
【図２９】灌水装置の背面断面図である。
【図３０】灌水装置の右側の側面図である。
【図３１】灌水装置の左側の側面断面図である。
【図３２】図３１のＣ矢示図である。
【図３３】図３１のＤ矢示図である。
【図３４】カム駆動軸、カム及びカム調整機構の背面図である。
【図３５】カムの側面図である。
【図３６】カム調整機構の側面図である。
【図３７】開閉蓋の作動を示す側面図である。
【図３８】移植装置の側面図である。
【図３９】移植装置の平面図である。
【図４０】移植装置の別の形態の平面図である。
【発明を実施するための形態】
【００１８】
以下、本発明の実施形態について、図面に基づいて説明する。
図１及び図２は本発明に係る台車３００を示す図であり、図１は側面図、図２は平面図である。台車３００は、荷台３０１、走行装置３０２、原動機３０３及びマルチフィルム敷設装置３０４を備えている。
以下、図１、図２の矢印Ａ１方向を前方、図１、図２の矢印Ｂ方向を後方、図２の矢印Ｂ１方向を右方、図２の矢印Ｂ２方向を左方として説明する。また、図２に示すように、台車３００の前後の方向に直交する方向である水平方向Ｋ１を荷台幅方向として説明する。また、台車３００の中央部から右部、或いは、左部へ向かう方向Ｋ２を荷台外方として説明する。言い換えれば、荷台外方とは、荷台幅方向であって台車３００から離れる方向である。荷台外方とは反対の方向Ｋ３を荷台内方として説明する。言い換えれば、荷台内方とは、荷台幅方向であって台車３００に近づく方向である。
【００１９】
図１、図２に示すように、荷台３０１は、後述する給水タンク３１１やポンプ３１２等の搭載物を搭載可能に構成されており、平面視で矩形状に形成されている。図３に示すように、荷台３０１は、フレーム３０５と上部プレート３０６とを有している。
フレーム３０５は四角筒状の部材であって、鋼材等の高剛性材料から形成されている。フレーム３０５は、側部フレーム３０５ＳＲ，３０５ＳＬと、前部フレーム３０５Ｆと、後部フレーム３０５Ｒと、内側フレーム３０５Ｉとを有している。
【００２０】
側部フレーム３０５ＳＲは、荷台３０１の右部に配置されて前後方向に延びている。側部フレーム３０５ＳＬは、荷台３０１の左部に配置されて前後方向に延びている。前部フレーム３０５Ｆは、荷台３０１の前部に配置されて荷台幅方向に延びている。後部フレーム３０５Ｒは、荷台３０１の後部に配置されて荷台幅方向に延びている。
側部フレーム３０５ＳＲ，３０５ＳＬ、前部フレーム３０５Ｆ及び後部フレーム３０５Ｒによって、荷台３０１の矩形状の外枠が形成される。本実施形態では、側部フレーム３０５ＳＲ，３０５ＳＬの長さは、前部フレーム３０５Ｆ及び後部フレーム３０５Ｒの長さよりも大きい。そのため、荷台３０１は荷台幅方向に比べて前後方向が長い。
【００２１】
内側フレーム３０５Ｉは、荷台３０１の外枠の内側に設けられており、前後方向又は荷台幅方向に延びている。内側フレーム３０５Ｉは、側部フレーム３０５ＳＲと側部フレーム３０５ＳＬとを連結している。さらに、内側フレーム３０５Ｉは、前部フレーム３０５Ｆと後部フレーム３０５Ｒとを連結している。
図１、図３及び図４に示すように、側部フレーム３０５ＳＲの右面、側部フレーム３０５ＳＬの左面及び前部フレーム３０５Ｆの前面には、後述する本体３２３を取り付けるための保持具３２５が設けられている。また、側部フレーム３０５ＳＲの右面、側部フレーム３０５ＳＬの左面及び前部フレーム３０５Ｆの前面には、後述するピン３２７を挿入するための第１孔３２６を形成する環状の縁部が形成されている。
【００２２】
以下、フレーム３０５について、荷台３０１の中心に近い側の面をフレーム内面と称し、当該フレーム内面と反対側の面であって荷台３０１の中心から離れた側の面をフレーム外面と称する場合がある。
保持具３２５は、Ｌ字状に屈曲された金属板から形成されている。本実施形態では、保持具３２５は、側部フレーム３０５ＳＲ，３０５ＳＬの前寄りに設けられている。また、保持具３２５は、前部フレーム２０５Ｆの右寄り及び左寄りにも設けられている。
【００２３】
第１孔３２６を形成する環状の縁部は、フレーム内面とフレーム外面の対向する位置に設けられている。また、本実施形態では、第１孔３２６を形成する環状の縁部は、側部フレーム３０５ＳＲ，３０５ＳＬの前寄り及び後寄りに設けられている。また、第１孔３２６を形成する環状の縁部は、前部フレーム３０５Ｆの荷台幅方向の中心付近にも設けられ
ている。つまり、保持具３２５と第１孔３２６を形成する環状の縁部は、前後方向又は荷台幅方向にずれた位置に設けられている。
【００２４】
図１〜図３に示すように、側部フレーム３０５ＳＲ，３０５ＳＬの後部は、後部フレーム３０５Ｒより後方に突出しており、この突出部分に後述する支軸４０１が取り付けられている。また、図１、図３及び図４に示すように、側部フレーム３０５ＳＲ，３０５ＳＬの前部の下面及び後部の下面には、フック３２９が設けられている。フック３２９には、例えば台車３００を牽引するためにロープ等を掛止することができる。
【００２５】
上部プレート３０６は、フレーム３０５の上部に固定されており、荷台３０１の上面を形成している。上部プレート３０６は、複数枚の薄板（本実施形態では５枚の金属薄板）から構成され、フレーム３０５の上部にボルト（図示略）で固定されている。
図２に示すように、荷台３０１の上面は、第１領域３０１ａと、第２領域３０１ｂと、第３領域３０１ｃとを有している。第１領域３０１ａには、給水タンク３１１及びポンプ３１２が搭載される。第２領域３０１ｂには原動機３０３が搭載される。第３領域３０１には常設の搭載物はない。そのため、第３領域３０１は、作業の種類に応じて必要な物を置くためのスペースとして利用することができ、作業性の向上に寄与する。
【００２６】
第１領域３０１ａは、荷台３０１の前寄りに設けられた４枚の上部プレート３０６の上面により形成された領域である。第２領域３０１ｂは、荷台３０１の後部且つ左寄りに設けられた内側フレーム３０５Ｉ、側部フレーム３０５ＳＬにより形成された領域である。この第２領域３０１ｂは、上部プレート３０６により覆われておらず、上面視にて内側フレーム３０５Ｉが露出している。この露出した内側フレーム３０５Ｉ上に、原動機３０３が固定されている。第３領域３０１ｃは、荷台３０１の後部且つ右寄りに設けられた１枚の上部プレート３０６の上面により形成された領域である。
【００２７】
したがって、荷台３０１の前部に第１領域３０１ａが形成されている。荷台３０１の後部且つ左側に第２領域３０１ｂが形成されている。荷台３０１の後部且つ右側に第３領域３０１ｂが形成されている。
図１に示すように、荷台３０１の下部にはトラックフレーム３１３が設けられている。トラックフレーム３１３は、荷台３０１の右下部と左下部に夫々設けられており、各トラックフレーム３１３には走行装置３０２が取り付けられている。
【００２８】
各トラックフレーム３１３は、縦材３１３ａ，３１３ｂと、横材３１３ｃ、３１３ｄと、斜め材３１３ｅ，３１３ｆ，３１３ｇとを有している。縦材３１３ａ，３１３ｂは前後に間隔をあけて設けられており、各縦材３１３ａ，３１３ｂは内側フレーム３０５Ｉの下部に固定されて下方に延びている。前方の縦材３１３ａは、荷台３０１の前後方向の中途部付近に設けられている。後方の縦材３１３ｂは、荷台３０１の後部寄り部分に設けられている。横材３１３ｃ，３１３ｄは上下に間隔をあけて設けられており、各横材３１３ｃ，３１３ｄは前方の縦材３１３ａと後方の縦材３１３ｂを連結している。下方の横材３１３ｄは、縦材３１３ａの前方及び縦材３１３ｂの後方に延びている。斜め材３１３ｅ，３１３ｆ，３１３ｇのうち、上前方の斜め材３１３ｅは、前方の縦材３１３ａの上部寄り部分と内側フレーム３０５Ｉとを連結している。下前方の斜め材３１３ｆは、前方の縦材３１３ａの下部寄り部分と下方の横材３１３ｄの前端部付近とを連結している。後方の斜め材３１３ｇは、後方の縦材３１３ｂの下部寄り部分と下方の横材３１３ｄの後端部付近とを連結している。
【００２９】
走行装置３０２は、荷台３０１を走行可能に支持している。走行装置３０２は、荷台３０１の右側と左側に夫々設けられている。右側の走行装置３０２と左側の走行装置３０２の間隔（荷台幅方向の距離）は、圃場に形成された畝４を跨ぐことができる間隔に設定さ
れる。
図１に示すように、走行装置３０２は、クローラ式走行装置であり、駆動スプロケット３０７と、前側の従動輪３０８Ｆと、後側の従動輪３０８Ｒと、転輪３０９と、クローラベルト３１０とを有する。駆動スプロケット３０７は、前側の従動輪３０８Ｆと後側の従動輪３０８Ｒとの間の上部且つ後部寄りに配置されている。転輪３０９は、前側の従動輪３０８Ｆと後側の従動輪３０８Ｒとの間に複数設けられている。クローラベルト３１０は、無端帯状であって、駆動スプロケット３０７、従動輪３０８Ｆ，３０８Ｒ及び転輪３０９に渡って巻き掛けられている。駆動スプロケット３０７は、荷台３０１の上部に固定された原動機３０３の駆動によって横軸回りに回転する。これにより、クローラベルト３１０が周方向に循環され、台車３００が前進又は後進する。なお、走行装置３０２は、車輪型の走行装置であってもよい。
【００３０】
原動機３０３は、走行装置３０２を駆動するものであり、本実施形態ではエンジンが用いられている。原動機３０３は、図示しない動力伝動機構を介して走行装置３０２と接続されている。図２に示すように、原動機３０３は、荷台３０１の第２領域３０１ｂに搭載されている。具体的には、原動機３０３は、荷台３０１の幅方向の一側方寄り（左方寄り）且つ後方寄りの位置に配置され、内側フレーム３０５Ｉの上部に固定されている。
【００３１】
図１、図２に示すように、原動機３０３はカバー３１４の内部に配置されている。カバー３１４は、下方が開放された略直方体状であって、原動機３０３の上方、側方及び後方を覆っている。カバー３１４の上面の後部右寄り位置には、ハンドル３１５が取り付けられている。ハンドル３１５は、作業者が台車３００を移動させる際に把持する部分であって、図２に示すように、荷台３０１の幅方向中心Ｃ１から一側方側（左側）にずれた位置にある。これにより、作業者は、前方を向いてハンドル３１５を把持しながら、台車３００の後方の一側方側（左方側）を歩くことができ、作業性に優れている。
【００３２】
図１、図２に示すように、カバー３１４の後部左寄り位置には、複数本の操作レバー３１６が設けられている。操作レバー３１６は、給水タンク３１１の幅方向中心Ｃ３から一側方側（左側）にずれた位置にある。複数本の操作レバー３１６は、カバー３１４の上面の後部左寄り位置から上方に突出している。操作レバー３１６は、走行装置３０２を操作するレバーであって、走行クラッチレバー３１６Ａ、サイドクラッチレバー３１６Ｂ，３１６Ｃ及びブレーキレバー３１６Ｄを有している。走行クラッチレバー３１６Ａは、原動機３０３の走行装置３０２に対する伝動を接続又は遮断するレバーである。サイドクラッチレバー３１６Ｂは、右側の走行装置３０２の駆動を停止させて台車３００の向きを変更する右操向クラッチを操作するレバーである。サイドクラッチレバー３１６Ｃは、左側の走行装置３０２の駆動を停止させて台車３００の向きを変更する左操向クラッチを操作するレバーである。ブレーキレバー３１６Ｄは、ブレーキ（図示略）のオンオフを切り換えるレバーである。
【００３３】
図２に示すように、操作レバー３１６は、荷台３０１の幅方向の一側方（左側方）寄りの位置であって、ハンドル３１５の一側方側（左側）に位置している。また、操作レバー３１６は、マルチフィルム敷設装置３０４の幅方向中心Ｃ２から一側方側（左側）にずれた位置にある。尚、荷台３０１の幅方向中心Ｃ１とマルチフィルム敷設装置３０４の幅方向中心Ｃ２は、荷台幅方向において同一直線上にある。これにより、作業者は、前方を向いて、台車３００の後方であってマルチフィルム敷設装置３０４の一側方側（左方側）を歩きながら、操作レバー３１６を操作することができるため、作業性に優れている。
【００３４】
給水タンク３１１は、畝に植え付けられた苗に灌水する灌水装置１８に給水するための水を貯留するタンクである。灌水装置１８は、後述する移植機１に設けられている。図１、図２に示すように、給水タンク３１１は、荷台３０１上の前部であって荷台３０１の幅
方向中心付近に搭載されている。尚、給水タンク３１１の幅方向中心Ｃ３は、荷台３０１の幅方向中心Ｃ１から、荷台幅方向において、原動機３０３のカバー３１４と反対側（右方）にずれた位置にある。これにより、作業者は、台車３００の後方を歩きながら操作レバー３１６を操作する際に、給水タンク３１１により前方の視界が遮られることを防止することができる。
【００３５】
図２、図４に示すように、給水タンク３１１は、複数本（本実施形態では２本）のバンド３１７により荷台３０１上に固定されている。バンド３１７は、帯状体３１７Ａと、係止具３１７Ｂと、長さ調整具３１７Ｃとを有している。係止具３１７Ｂは、帯状体３１７Ａの両端部に取り付けられた略Ｊ字状のフックからなる。長さ調整具３１７Ｃは、給水タンク３１１の大きさに合わせて帯状体３１７Ａの長さを調整するものである。
【００３６】
図２〜図４に示すように、荷台３０１には、バンド３１７の係止具３１７Ｂを係止するための係止部３１８が設けられている。係止部３１８は、四角環状の金具から構成されており、荷台３０１の第１領域３０１ａの前方と後方に夫々設けられている。前方の係止部３１８は前部フレーム３０５Ｆに固定され、後方の係止部３１８は内側フレーム３０５Ｉに固定されている。
【００３７】
図２、図４に示すように、バンド３１７の一方の係止具３１７Ｂを前方の係止部３１８に係止し、バンド３１７を給水タンク３１１の前方から後方に掛け渡して、バンド３１７の他方の係止具３１７Ｂを前方の係止部３１８に係止することにより、給水タンク３１１が荷台３０１上に確実に固定される。
ポンプ３１２は、給水タンク３１１から水を吸い上げるポンプであり、原動機３０３により駆動される。図１、図２に示すように、ポンプ３１２と原動機３０３とは前後方向に並んで配置されている。具体的には、ポンプ３１２は原動機３０３の前方に配置されていれる。ポンプ３１２と給水タンク３１１とは荷台幅方向に並んで配置されている。具体的には、ポンプ３１２は給水タンク３１１の左方に配置されている。
【００３８】
図１に示すように、ポンプ３１２の吸入口には、当該ポンプに向けて水を吸い上げるための吸上げホース３１９が接続されている。ポンプ３１２の吐出口には、当該ポンプから水を供給するための供給ホース３２０が接続されている。
図５に示すように、吸上げホース３１９は給水タンク３１１と接続されている。この実施形態では、吸上げホース３１９の端部を、給水タンク３１１の内部に入れることで、当該吸上げホース３１９を給水タンク３１１に接続している。なお、吸上げホース３１９の給水タンク３１１への接続は、上述した実施形態に限定されない。例えば、給水タンク３１１に水を外部に排出する排出部を設けて、当該排出部に吸上げホース３１９を接続してもよい。
【００３９】
また、給水タンク３１１は、後述する戻りホース３２１を介して灌水タンク１９３と接続されている。この実施形態では、戻りホース３２１の端部を、給水タンク３１１の内部に入れることで、当該戻りホース３２１を給水タンク３１１に接続している。なお、戻りホース３２１の給水タンク３１１への接続は、上述した実施形態に限定されない。例えば、給水タンク３１１に水を入れる給水部を設けて、当該給水部に戻りホース３２１を接続してもよい。
【００４０】
また、供給ホース３２０は、給水タンク３１１に貯蔵された水の供給対象と接続されている。本実施形態では、供給対象は灌水装置１８の灌水タンク１９３である。尚、灌水装置１８及び灌水タンク１９３の構成については後ほど説明する。
これにより、給水タンク３１１に貯蔵された水は、ポンプ３１２の駆動によって吸上げホース３１９を通って吸い上げられ、供給ホース３２０を通って灌水タンク１９３に送ら
れる。また、灌水装置１８で使用されなかった余剰水は、戻りホース３２１を通って給水タンク３１１に戻される。
【００４１】
なお、ポンプ３１２について、給水タンク３１１から水を吸い上げるポンプとして使用する代わりに、給水タンク３１１とは別の水源（例えば用水路、池、川等）から水を吸い上げる水源用ポンプとして使用してもよい。ポンプ３１２を水源用ポンプとして使用する場合、吸上げホース３１９の一端部をポンプ３１２の吸入口に接続し、他端部を別の水源に配置すればよい。また、ポンプ３１２とは別のポンプを荷台３０１に搭載し、当該別のポンプを水源用ポンプとして使用してもよい。この場合、水源用ポンプと給水タンク３１１とを、図示しない別のホース（補給ホース）により接続し、別の水源から吸い上げた水を補給ホースにより案内して給水タンク３１１に補給する構成とすることができる。
【００４２】
図５〜図１０に示すように、供給ホース３２０及び戻りホース３２１は、ホース支持部材３２２により支持される。ホース支持部材３２２は、供給ホース３２０及び戻りホース３２１の延設方向を定めて支持している。
ホース支持部材３２３は、荷台３０１のフレーム３０５に沿って取り付けられる。ホース支持部材３２３の取り付け位置は、供給ホース３２０及び戻りホース３２１の延設方向に応じて選択することができる。延設方向は、台車３００に対する移植機１の位置により定まる。例えば、移植機１が台車３００の前方に位置する場合、延設方向は前方となる。移植機１が台車３００の右方に位置する場合、延設方向は右方となる。移植機１が台車３００の左方に位置する場合、延設方向は左方となる。つまり、ホース支持部材３２３は、荷台３０１の前方に延出する第１形態と、荷台３０２の左方又は右方に延出する第２形態とに変更可能とされている。
【００４３】
図１１、図１２に示すように、供給ホース３２０及び戻りホース３２１を台車３００の前方に向けて延設したい場合（第１形態の場合）には、ホース支持部材３２３は側部フレーム３０５ＳＲ又は３０５ＳＬに沿って取り付けられる。
図１１に示すように、ホース支持部材３２３を右側の側部フレーム３０５ＳＲの右面に沿って取り付けた状態では、当該ホース支持部材３２３は、台車３００の右側の前端部より前方に突出した状態となる。図１２に示すように、ホース支持部材３２３を左側の側部フレーム３０５ＳＲの左面に沿って取り付けた状態では、ホース支持部材３２３は、台車３００の左側の前端部より前方に突出した状態となる。ホース支持部材３２３を側部フレーム３０５ＳＲ又は３０５ＳＬのいずれに取り付けるかは、移植機１の位置や灌水タンク１９３の給水口２０５の位置及び向きに応じて決定すればよい。
【００４４】
図１３に示すように、供給ホース３２０及び戻りホース３２１を台車３００の右方に向けて延設したい場合（第２形態の場合）には、ホース支持部材３２３は、前部フレーム３０５Ｆの前面に沿って取り付けられる。この場合、ホース支持部材３２３は、台車３００の右端部より右方に突出した状態とする。
図１４に示すように、供給ホース３２０及び戻りホース３２１を台車３００の左方に向けて延設したい場合（第２態の場合）には、ホース支持部材３２３は、前部フレーム３０５Ｆの前面に沿って取り付けられる。この場合、ホース支持部材３２３は、台車３００の左端部より左方に突出した状態とする。
【００４５】
図５〜図１０に示すように、ホース支持部材３２２は、本体３２３と、保持部材３２４とを有している。本体３２３は、供給ホース３２０及び戻りホース３２１が配置するホース配置部を形成する部材で構成されている。本体３２３は、側部フレーム３０５ＳＲ，３０５ＳＬ又は前部フレーム３０５Ｆに設けられた保持具３２５に保持されて、ピン３２７により固定される。
【００４６】
図６〜図８に示すように、本体３２３は、例えば金属製のチャンネル材であって、側板部３２３ａ、上板部３２３ｂ及び下板部３２３ｃを有している。側板部３２３ａは、フレーム外面（側部フレーム３０５ＳＲの右面、側部フレーム３０５ＳＬの左面又は前部フレーム３０５Ｆの前面）に沿って当接する。上板部３２３ｂは、側板部３２３ａの上部よりフレーム外面から離れる方向（以下、フレーム外方という）に延出している。下板部３２３ｃは、側板部３２３ａの下部よりフレーム外方に向けて延出している。上板部３２３ｂと下板部３２３ｃとは互いに平行である。したがって、側板部３２３ａと、上板部３２３ｂ及び下板部３２３ｃによって、ホース配置部が形成される。
【００４７】
図６、図７及び図９に示すように、側板部３２３ａには、筒状部３２３ｄ及び第２孔３２３ｅが設けられている。図６、図１０に示すように、筒状部３２３ｄは、側板部３２３ａの上下方向の中間位置よりフレーム外方に向けて延出している。筒状部３２３ｄの内面には雌ねじが形成されており、この雌ねじには後述するボルト３２８が螺合される。第２孔３２３ｅは、側板部３２３ａの長手方向の一端部に形成されている。
【００４８】
次に、図１１〜図１４を用いて、供給ホース３２０及び戻りホース３２１の延設方法（本体３２３の取付方法）について詳しく説明する。
図１１に示すように、供給ホース３２０及び戻りホース３２１を台車３００の右側の前方に向けて延設する場合、本体３２３（側板部３２３ａ）の一端部に形成した第２孔３２３ｅと、側部フレーム３０５ＳＲの前寄りに設けた第１孔３２６とを合わせて、当該第１孔３２６及び第２孔３２３ｅにピン３２７を挿入する。また、本体３２３の一端部を側部フレーム３０５ＳＲの前寄りに設けた保持具３２５にセットする。
【００４９】
また、図１２に示すように、供給ホース３２０及び戻りホース３２１を台車３００の左側の前方に向けて延設する場合、本体３２３の第２孔３２３ｅと、側部フレーム３０５ＳＬの前寄りに設けた第１孔３２６とを合わせて、当該第１孔３２６及び第２孔３２３ｅにピン３２７を挿入する。また、本体３２３の一端部を側部フレーム３０５ＳＬの前寄りに設けた保持具３２５にセットする。
【００５０】
また、図１３に示すように、供給ホース３２０及び戻りホース３２１を台車３００の右方に向けて延設する場合、本体３２３の第２孔３２３ｅと、前部フレーム３０５Ｆに設けた第１孔３２６とを合わせて、当該第１孔３２６及び第２孔３２３ｅにピン３２７を挿入する。また、本体３２３の一端部を前部フレーム３０５Ｆの右寄りに設けた保持具３２５にセットする。
【００５１】
また、図１４に示すように、供給ホース３２０及び戻りホース３２１を台車３００の左方に向けて延設する場合、本体３２３の第２孔３２３ｅと、前部フレーム３０５Ｆに設けた第１孔３２６とを合わせて、当該第１孔３２６及び第２孔３２３ｅにピン３２７を挿入する。また、本体３２３の一端部を前部フレーム３０５Ｆの左寄りに設けた保持具３２５にセットする。
【００５２】
以上のように、本体３２３は、フレーム３０５の長手方向の一部分に沿うように取り付けることができる。言い換えれば、本体３２３はフレーム３０５の全長に亘って沿うように取り付けられない。これにより、フレーム３０５よりも長い本体３２３を使用せずとも、本体３２３を台車３００から大きく突出させることができる。そのため、比較的短い本体３２３であっても、供給ホース３２０及び戻りホース３２１の延設方向の案内を良好に行うことが可能となる。
【００５３】
また、図５、図８に示すように、本体３２３を保持具３２５に保持した状態で、図７に示すように、第２孔３２３ｅ及び第１孔３２６にピン３２７を貫通することにより、本体
３２３をフレーム外面に沿って簡単に固定することができる。特に、第１孔３２６と保持具３２５とは、前後方向又は荷台幅方向にずれた位置に設けられている。そのため、本体３２３は、当該本体３２３の長手方向に離間した２点（保持具３２５と第１孔３２６）で簡単に保持することができる。
【００５４】
さて、図５、図６に示すように、保持部材３２４は、上板部３２３ｂの延出端部と下板部３２３ｃの延出端部とに亘って設けられている。保持部材３２４は、貫通孔３２４ａを有する矩形状の板からなり、本体３２３の長手方向に間隔をあけて複数設けられている。貫通孔３２４ａにはボルト３２８が挿通され、当該ボルト３２８は筒状部３２３ｄの内面に形成された雌ねじに螺合される。これにより、保持部材３２４が本体３２３に対して固定される。
【００５５】
図６、図１０に示すように、供給ホース３２０及び戻りホース３２１は、本体３２３の上板部３２３ｂ、下板部３２３ｃ及び側板部３２３ａで形成されたホース配置部に配置されて、保持部材３２４によって保持される。供給ホース３２０及び戻りホース３２１は、ホース配置部において、筒状部３２３ｄを挟んで上下に並列する。ホースの保持は、供給ホース３２０及び戻りホース３２１に保持部材３２４を当接させ、当該保持部材３２４の貫通孔３２４ａにボルト３２８を挿通し、当該ボルト３２８を筒状部３２３ｄの雌ねじに螺合することで行うことができる。これにより、供給ホース３２０及び戻りホース３２１を、荷台３０１の近傍位置にコンパクトに配置することができる。この本体３２３に配置された供給ホース３２０及び戻りホース３２１は、保持部材３２４により保持される。
【００５６】
ホース支持部材３２２を使用しないときには、図１５に示すように、本体３２３をフレーム３０５の全長に亘って沿うように取り付ける。例えば、本体３２３を、側部フレーム３０５ＳＲの右面に沿って取り付ける場合は、本体３２３の一端側（第２孔３２３ｅを形成した側）を側部フレーム３０５ＳＲの後寄りに位置させる。そして、側部フレーム３０５ＳＲの後寄りに形成した第１孔３２６と第２孔３２３ｅとを合わせて、第１孔３２６及び第２孔３２３ｅにピン３２７を挿入する。また、本体３２３の他端側（第２孔３２３ｅを形成した側と反対側）を側部フレーム３０５ＳＲの前寄りに位置させる。本体３２３の他端側を側部フレーム３０５ＳＬの右面の前寄りに設けた保持具３２５にセットする。このようにすることで、本体３２３を側部フレーム３０５ＳＲの右面の全長に亘って沿うように取り付けることができる。
【００５７】
なお、本体３２３を、側部フレーム３０５ＳＬの左面に沿って取り付ける場合は、上述した「側部フレーム３０５ＳＲ」を「側部フレーム３０５ＳＬ」に読み替えると共に、上述した「右面」を「左面」に読み替えればよい。
以上のように、本体３２３をフレーム３０５の全長に亘って沿うように取り付けることで、フレーム３０５からの本体３２３の突出長さを小さくすることができる。そのため、ホース支持部材３２２を使用しないときに、ホース支持部材３２２が作業の妨げになることを防ぐことができる。また、ホース支持部材３２２を荷台３０１に取り付けた状態で保管することができるため、ホース支持部材３２２を台車３００とは別の場所に保管する手間が省ける。更に、ホース支持部材３２２を使用する際には、ホース支持部材３２２を別の場所から用意する必要がないため、作業性に優れている。
【００５８】
上述した通り、ホース支持部材３２２を使用するとき（図１１〜図１４参照）には、前寄りに設けられた第１孔３２６にピン３２７を挿通する。ホース支持部材３２２を使用しないとき（図１５参照）には、後寄り部分に設けられた第１孔３２６にピン３２７を挿通する。つまり、第１孔３２６が側部フレーム３０５ＳＲ，３０５ＳＬの前寄り及び後寄りに設けられているため、ホース支持部材３２２の使用時と不使用時で、延出の度合いを変えることができる。
【００５９】
図１〜図３に示すように、荷台３０１の後部には、支軸４０１が設けられている。
支軸４０１は、荷台幅方向の軸心を有しており、荷台３０１の右側後部と左側後部に夫々設けられている。右側の支軸４０１は、右側の側部フレーム３０５ＳＲの後端部から左方に向けて延びている。左側の支軸４０１は、左側の側部フレーム３０５ＳＬの後端部から右方に向けて延びている。
【００６０】
図１７に示すように、支軸４０１は内筒４０１ａと外筒４０１ｂとを有している。尚、図１７では左側の支軸４０１のみを示しているが、右側の支軸４０１は左側の支軸４０１と対称に設けられている。
内筒４０１ａは、一端部が側部フレーム３０５ＳＲ，３０５ＳＬに対して回動自在に取り付けられ、他端部が側部フレーム３０５ＳＲ，３０５ＳＬから荷台内方側に延びている。外筒４０１ｂは、内筒４０１ａの他端側に外嵌されている。内筒４０１ａと外筒４０１ｂとはボルト４０２により連結されている。これにより、支軸４０１は、内筒４０１ａと外筒４０１ｂとが一体的に、荷台幅方向の軸心回りに回動可能となっている。
【００６１】
図１７、図１８に示すように、外筒４０１ｂには、連結部材４０４を介してツールバー４００が取り付けられている。連結部材４０４は、一端部が外筒４０１ｂの外面に固定されており、下方に向けて延びている。連結部材４０４の他端部には、ツールバー４００が固定されている。
ツールバー４００は、四角筒状の部材であって、荷台幅方向に延びている。ツールバー４００は、一端部（右端部）が右側の支軸４０１の外筒４０１ｂに固定され、他端部（左端部）が左側の支軸４０１の外筒４０１ｂに接続されている。つまり、ツールバー４００は、右側の外筒４０１ｂと左側の外筒４０１ｂとを連結するように架設されている。これにより、ツールバー４００は、支軸４０１の軸心回りに回転可能に支持されている。
【００６２】
側部フレーム３０５ＳＲ，３０５ＳＬの後端部には垂下部材４０５が設けられている。垂下部材４０５は、側部フレーム３０５ＳＲ，３０５ＳＬから下方に向けて延びている。図１８に示すように、垂下部材４０５と連結部材４０４とは、付勢部材４０３としてのガスダンパにより連結されている。付勢部材４０３の一端側は、連結部材４０４の荷台外方側の面に突設された第１係止部４０６に係止されている。付勢部材４０３の他端側は、垂下部材４０５の荷台外方側の面に突設された第２係止部４０７に係止されている。第２係止部４０７は、第１係止部４０６の前方且つ下方に設けられている。付勢部材４０３は、伸長する方向の付勢力を有しており、支軸４０１の軸心回りにツールバー４００を上方に回転させる際に必要な力を補助している。また、支軸４０１の軸心回りにツールバー４００を下方に回転させる際に、急激に下降することを抑制している。
【００６３】
図１、図２に示すように、ツールバー４００にはマルチフィルム敷設装置３０４が取り付けられている。マルチフィルム敷設装置３０４は、後述する移植機１によって苗が植えられた圃場の畝４にマルチフィルムＭＦを敷設するものである。
上述したように、ツールバー４００は、支軸４０１の軸心回りに回転可能に支持されている。そのため、支軸４０１を中心としてツールバー４００を上方又は下方に回転させることで、マルチフィルム敷設装置３０４の姿勢を変更することができる。詳しくは、ツールバー４００を下方に回転した状態では、マルチフィルム敷設装置３０４は、マルチフィルムＭＦを敷設する第１姿勢となる（図１参照）。一方、ツールバー４００を上方に回転すると、マルチフィルム敷設装置３０４は、第１姿勢から上方に退避した第２姿勢となる（図１９参照）。そのため、マルチフィルムの敷設作業を行わないときには、マルチフィルム敷設装置３０４を第２姿勢に退避させることができる。
【００６４】
ツールバー４００は、第１姿勢では支軸４０１の下方に位置し、第２姿勢では支軸４０
１の後方に位置する。付勢部材４０３としてのガスダンパは、第１姿勢において短縮した状態となり、第２姿勢において伸長した状態となる。
図１、図２、図１６に示すように、マルチフィルム敷設装置３０４は、畝成形器３３０と、フィルム押え器３９０と、覆土器４１０とを有している。図１６に示すように、マルチフィルム敷設装置３０４は、第１取付部３７０及び第２取付部３８０を介して、ツールバー４００に取り付けられている。
【００６５】
第１取付部３７０は、ツールバー４００の長手方向の一端側（右側）と他端側（左側）に夫々設けられている。図１７、図１８及び図２０に示すように、第１取付部３７０は、上取付部材３７１と、下取付部材３７２と、締結部材３７３とを有している。尚、図示の都合上、図１７では、上取付部材３７１と後述する横筒部３７５の一部を切り欠いて示している。
【００６６】
上取付部材３７１は、平面視で矩形状の平板であって、ツールバー４００の上面に当接して設けられている。上取付部材３７１の下方には下取付部材３７２が配置されている。
下取付部材３７２は、前板部３７２ａ、後板部３７２ｂ、下板部３７２ｃ及び取付部３７２ｄを有している。前板部３７２ａはツールバー４００の前面に当接している。後板部３７２ｂはツールバー４００の後面に当接している。下板部３７２ｃはツールバー４００の下面に当接している。取付部３７２ｄは、荷台幅方向に間隔をあけて配置された一対の板状部分であり、ツールバー４００の後方及び下方に延びている。前板部３７２ａ、後板部３７２ｂ及び下板部３７２ｃは、取付部３７２ｄに固定されている。締結部材３７３は、上取付部材３７１と下取付部材３７２とを連結する部材である。ツールバー４００を挟んで上取付部材３７１及び下取付部材３７２を締結部材３７３によって締結することにより、第１取付部３７０を取り付けることができる。
【００６７】
さらに、下取付部材３７２は、縦筒部３７４と横筒部３７５とを有している。縦筒部３７４は六角筒状であって、取付部３７２ｄの後端部に固定されて、上下方向に延びている。横筒部３７５は略四角筒状であって、後部３７２ｂの後面に固定されて、荷台幅方向に延びている。
図１７、図１８に示すように、縦筒部３７４には畝成形器３３０が取り付けられている。畝成形器３３０は、畝の表面を均して適当な高さに成形するものであり、荷台３０１の右側後方と左側後方に夫々設けられている。つまり、畝成形器３３０は、荷台幅方向に間隔をあけて一対設けられている。
【００６８】
畝成形器３３０は、畝成形ディスク３３１と、高さ調整機構３３２と、向き調整機構３３３とを有している。
畝成形ディスク３３１は、台車３００の移動に伴って畝の表面に当接しながら移動し、畝の表面の余分な土を排除する部材である。高さ調整機構３３２は、縦筒部３７４と、縦棒３３４と、ピン３３５とを有している。縦筒部３７４は、取付部３７２ｄの後端部に固定されて上下方向に延びている。縦棒３３４は、縦筒部３７４に挿入される部材であって、縦方向に沿って一定間隔で複数の穴３７６が形成されている。高さ調整機構３３２によれば、縦筒部３７４に対する縦棒３３４を変更して、ピン３３５を穴３７６に嵌めることによって、畝成形ディスク３３１の高さを変更することができる。
【００６９】
図１７、図１８及び図２１に示すように、向き調整機構３３３は、上板３３６と、下板３３７と、ボルト３３８とを有している。上板３３６は、縦棒３３４の下端部に固定され、縦棒３３４を挟んで一対の長穴３３６ａを有している。下板３３７は、上板３３６の下方に配置され、上板３３６の長穴３３６ａと対応する位置に一対の長穴３３７ａを有している。下板３３７の荷台外方側には、連結部３３９を介して、畝成形ディスク３３１が連結されている。畝成形ディスク３３１は、連結部３３９に回転自在に支持されている。
【００７０】
図１８に示した畝成形ディスク３３１に関して、実線は、上板３３６と下板３３７とが完全に重なっている状態を示し、仮想線（二点鎖線）は、上板３３６に対して下板３３７を回転させてずらした状態を示している。尚、図１８では、図の簡明化のために、ボルト３３８は頭部を省略して軸のみを示している。向き調整機構３３３によれば、上板３３６に対して下板３３６を相対的に回転させることで、実践及び仮想線のように、畝成形ディスク３３１の向きを変更することができる。
【００７１】
図１７、図１８及び図２０に示すように、横筒部３７５には、ツールバー４００と平行に荷台外方側に向けて延びる横棒３５１が挿入されている。横棒３５１はボルト３５６によって横筒部３７５に固定されている。横棒３５１の荷台外方側の端部には、湾曲する湾曲棒３５２の一端部（前端部）が固定されている。図２０及び図２２に示すように、湾曲棒３５２の他端部（下端部）には、角度調整機構３５３が設けられ、当該角度調整機構３５３に接続棒３５４が設けられている。
【００７２】
角度調整機構３５３は、中継部材３５７と、係止軸３５８と、付勢部材３５９と、架設板３６０と、係止部材３６１とを有している。中継部材３５７は、湾曲棒３５２の他端部に固定されている。中継部材３５７には、支軸３６２を介して接続棒３５４の一端部（前端部）が枢支されている。これにより、接続棒３５４は、支軸３６２を支点として上下に回動自在となっている。
【００７３】
係止部材３６１は、接続棒３５４の長手方向の中途部に設けられている。係止部材３６１は、荷台幅方向に延びている。付勢部材３６１は、接続棒３５４を挟んで右側と左側に設けられている。付勢部材３６１の一端（前端）は、中継部材３５７の前部に固定された係止軸３５８に係止され、付勢部材３６１の他端（後端）は、係止部材３６１に係止されている。付勢部材３６１は、係止部材３６１を係止軸３５８に向けて引っ張る方向に付勢している。
【００７４】
架設板３６０は、係止軸３５８と係止部材３６１との間に架設されている。架設板３６０の一端側には、他端側に向けて延びる長穴３６４が形成されている。長穴３６４には係止軸３５８が挿入されており、係止軸３５８は長穴３６４に沿って移動可能となっている。架設板３６０の他端側は、ピン３６３を介して係止部材３６１に固定されている。これにより、接続棒３５４には、支軸３６２を支点として下向きに回動する付勢力が作用している。この付勢力は、後述するフィルム押え器３９０及び覆土ディスク４１１を地面に押し付ける力として作用する。
【００７５】
図１６、図２０及び図２２に示すように、接続棒３５４の後寄りには、フィルム押え器３９０及び覆土器４１０が取り付けられている。フィルム押え器３９０は、敷設されたマルチフィルムの荷台幅方向の両端部を押さえるものである。フィルム押え器３９０は、荷台３０１の右側後方と左側後方に夫々設けられている。一対のフィルム押え器３９０の間隔は、前方から後方に向けて次第に小さくなるように設定されている。一対のフィルム押え器３９０の後部同士の間隔は、一対の畝成形ディスク３３１の後部同士の間隔と略等しく設定されている。これにより、一対の畝成形ディスク３３１により成形された畝の両縁に沿って、マルチフィルムの側縁を押さえて敷設することができる。
【００７６】
係止部材３６１には、連結棒３９２が設けられ、連結棒３９２に連結板３９４が設けられている。連結板３９４にフィルム押え器３９０が回転自在に支持されている。フィルム押え器３９０は、付勢部材３６１による付勢力によって、接続棒３５４が支軸３６２を支点として下向きに回動する力を受けることで、地面に押し付けられる。
覆土器４１０は、フィルム押え器３９０により押さえられたマルチフィルムの側縁部に
土を掛けて、当該側縁部を土で覆うためのものである。図２及び図１６に示すように、覆土器４１０は、荷台３０１の右側後方と左側後方に夫々設けられている。つまり、覆土器４１０は、畝成形ディスク３３１及びフィルム押え器３９０と同様に、荷台幅方向に間隔をあけて一対設けられている。
【００７７】
図２０及び図２２に示すように、覆土器４１０は、覆土ディスク４１１と、位置調整機構４１２とを有している。覆土ディスク４１１は、位置調整機構４１２を介して、接続棒３５４の他端部（後端部）に回動可能に取り付けられている。そのため、覆土ディスク４１１は、付勢部材３６１により、接続棒３５４を介して下向きの付勢力を受け、この付勢力によって地面に押し付けられる。覆土ディスク４１１は、略円板状に形成されており、外周に沿って等間隔で複数の円弧状の切欠き４１１ａを有している。
【００７８】
位置調整機構４１２は、回動部材４１３とボルト４１４とから構成されている。回動部材４１３は、長穴４１３ａを有しており、この長穴４１３ａにボルト４１４が挿通されている。ボルト４１４は、接続棒３５４の他端部（後端部）と回動部材４１３の一端部とを回動可能に連結しており、長穴４１３ａに沿って移動可能となっている。これにより、回動部材４１３は、接続棒３５４の他端部に挿通されたボルト４１４を支点として、回動可能且つ移動可能となっている。
【００７９】
回動部材４１３の他端部には覆土ディスク４１１が接続されている。そのため、回動部材４１３を長穴４１３ａ内で回動させることで、覆土ディスク４１１を回動させることができる。また、回動部材４１３を長穴４１３ａに沿って移動させることで、覆土ディスク４１１を移動させることができる。
図１６に示すように、覆土ディスク４１１は、一対の畝成形ディスク３３１の後方であって、一対のフィルム押え器３９０の後方且つ荷台外方側に夫々設けられている。一対の覆土ディスク４１１の間隔は、前方から後方に向けて次第に小さくなるように設定されている。一対の覆土ディスク４１１の後部同士の間隔は、一対のフィルム押え器３９０の後部同士の間隔より大きく設定されている。これにより、フィルム押え器３９０によって押さえられたマルチフィルムの側縁部に土を掛けて、当該側縁部を確実に土で覆うことができる。
【００８０】
図１６に示すように、第２取付部３８０は、ツールバー４００の長手方向の中央に設けられている。
図１６及び図２３に示すように、第２取付部３８０は、後取付部材３８１と前取付部材３８２とを有している。後取付部材３８１の上部はツールバー４００の上方に位置し、後取付部材３８１の下部はツールバー４００の下方に位置している。後取付部材３８１の上部及び下部には、前方に突出するねじ軸で構成された取付部３８１ａが形成されている。前取付部材３８２の上下に形成した孔に、取付部（ねじ軸）３８１ａを挿入して、ナット３８１ｂを取付部３８１ａに螺合することにより、第２取付部３８０がツールバー４００に取り付けられ。
【００８１】
後取付部材３８１の下部には、支持筒３８３の一端側（前端側）が固定されている。支持筒３８３は、四角筒状であって後方に向けて延びている。支持筒３８３の内部には、支持棒３８４の一端側（前端側）が挿入されている。支持棒３８４は、四角柱状であって、支持筒３８４の他端部（後端部）から突出して後方に向けて延びている。支持棒３８４は、調整ネジ３８５を緩めることで支持筒３８４からの突出長さを変更することができ、調整ネジ３８５を締めることで突出長さを固定できる。支持棒３８４の他端側（後端側）には、支持片３８８が固定されている。支持片３８８は、縦棒３８６の長手方向（上下方向）の中途部を支持している。縦棒３８６は、調整ねじ３８７によって支持片３８８に対して固定されており、調整ねじ３８７を緩めることで上下に移動することができる。
【００８２】
図１６及び図２３に示すように、縦棒３８６の下端部には、取付枠３４１が取り付けられている。取付枠３４１は、横枠部３４１ａと一対の側枠部３４１ｂとを有している。横枠部３４１ａは荷台幅方向に延びている。一対の側枠部３４１ｂは、横枠部３４１ａの両端部から前方に延びている。一対の側枠部３４１ｂの間には、テンションロール３４２が回転自在に支持されている。
【００８３】
テンションロール３４２は、後述するフィルムロールＦＲから巻き出されたマルチフィルムＭＦにテンションを付与するものである。本実施形態では、２つのテンションロール３４２が、荷台幅方向に並んで配置されている。
側枠部３４１ｂの外側面（テンションロール３４１と反対側の面）には、第１支持軸３４３が取り付けられている。第１支持軸３４３は、テンションロール３４２の回転軸方向と平行に、右方及び左方に向けて延びている。第１支持軸３４３は、フィルムロールＦＲの内部に挿通されて、フィルムロールＦＲを回転可能に支持する。
【００８４】
図１６、図２０、図２２に示すように、湾曲棒３５２には、上下に延びる縦支持棒３４６が設けられている。縦支持棒３４６は、上下方向の位置調整が行えるようになっている。縦支持棒３４６の下端には、荷台幅方向に延びる第２支持軸３４９が設けられている。第２支持軸３４９は荷台内方に向けて延びている。第２支持軸３４９は、第１支持軸３４３と平行である。第２支持軸３４９は、前後方向において第１支持軸３４３と軸方向が略一致している。言い換えれば、平面視において、第２支持軸３４９の軸心と第１支持軸３４３の軸心は略同一直線上に配置されている。マルチフィルムＭＦをロール状に巻回したフィルムロールＦＲは、第１支持軸３４３と第２支持軸３４９により支持される。
【００８５】
図１に示すように、上記構成からなる台車３００によれば、走行装置３０２を駆動して畝４に沿って移動しながら、畝成形器３３０で畝４の上面を均して成形することができる。そして、成形された畝４の上にフィルムロールＦＲからマルチフィルムＭＦを巻き出し、当該マルチフィルムＭＦの側縁をフィルム押え器３９０で押え付けた後、マルチフィルムＭＦの側縁に土を被せることができる。これにより、畝４にマルチフィルムＭＦを良好に敷設することができる。
【００８６】
台車３００は、畝４に苗を植え付ける移植機１に伴走させて使用することができる。
移植機１に台車３００を伴走させて使用することによって、畝に苗を植え付けた後に、引き続いてマルチフィルムＭＦを畝に敷設する移植装置３を構成することができる。
図３８〜図４０は移植装置３を示す図である。移植装置３は、上述した台車３００と、移植機１とを備えている。
【００８７】
移植機１は、圃場に形成された畝４を跨いで該畝に沿って移動しながら、たばこ、野菜等のセル成形苗、ソイルブロック苗、ポット苗等と称される苗５を、所定間隔をおいて植え付けていく移植機である。
図２４は移植機１の側面図を示し、図２５は移植機１の平面図を示す。以下の移植機１の説明において、図２４、図２５の矢印Ａ１方向を前方、図２４、図２５の矢印Ａ２方向を後方、図２５の矢印Ｂ１方向を左方、図２５の矢印Ｂ２方向を右方として説明する。
【００８８】
また、図２５に示すように、移植機１の前後に直交する方向である水平方向を機体幅方向として説明する。移植機１の中央部から右部、或いは、左部へ向かう方向を機体外方として説明する。言い換えれば、機体外方とは、機体幅方向であって移植機１から離れる方向のことである。機体外方とは反対の方向を、機体内方として説明する。言い換えれば、機体内方とは、機体幅方向であって移植機１に近づく方向である。
【００８９】
図２４及び図２５に示すように、移植機１は、機体１２と、走行装置１３と、植付装置１４と、苗供給装置１５と、苗載せ台１６と、施肥装置１７と、灌水装置１８とを備えている。
図２４に示すように、機体１２の前部には、原動機の１つであるエンジン２５８と、燃料タンク２５とが搭載されている。エンジン２５８の動力によって、走行装置１３、植付装置１４、苗供給装置１５、施肥装置１７、灌水装置１８が駆動される。
【００９０】
図２５、図２６に示すように、走行装置１３は、機体１２を走行可能に支持する装置である。この走行装置１３は、機体１２の右側及び左側に設けられ、前輪４４及び後輪４５を有する。前輪４４及び後輪４５は、それぞれ畝４間溝を転動するタイヤ輪であり、機体１２に対して機体幅方向に位置が調整自在である。
図２４に示すように、植付装置１４は機体１２の後部に設けられている。植付装置１４は、苗５を植え付ける植付具５５を有する。植付具５５は、下降時に圃場に突入して植付穴６６（図２４参照）を形成すると共に、植付穴６６に苗５を植え付けるものである。
【００９１】
図２４に示すように、苗供給装置１５は、植付具５５が上昇した際に当該植付具５５に苗５を供給する装置であって、ターンテーブル８８と、苗供給具８９とを有している。
図２４に示すように、苗載せ台１６は、苗供給装置１５の前上方に配置されている。また、苗載せ台１６は、右側の走行装置１３から左側の走行装置１３にわたる幅に形成されている。この苗載せ台１６は、苗供給装置１５に供給される苗５を載せておくための台である。苗５は、セルトレイ（育苗トレイ）に入れた状態で育成されており、苗載せ台１６には、セルトレイごと載置され、苗載せ台１６上の苗５が苗供給装置１５へ供給される。
【００９２】
図２４に示すように、施肥装置１７は、機体１２の後部に設けられている。施肥装置１７は、肥料を貯留する肥料タンク１１２と、肥料タンク１１２内の肥料を苗５の植付部分の近傍に供給する肥料供給装置１２１とを有する。
図２４に示すように、灌水装置１８は、機体１２の後部に設けられている。灌水装置１８は、水を貯留する灌水タンク１９３と、この灌水タンク１９３内の水を苗５の植付部分に供給する水供給装置１９４とを有する。灌水タンク１９３は、植付具５５の後方であって、苗供給装置１５の下方、即ち、苗供給装置１５の後部の下方に設けられている。
【００９３】
図２７〜図３０に示すように、灌水タンク１９３は、正面壁１９５と、背面壁１９６と、右側面壁１９７と、左側面壁１９８と、上面壁１９９と、底面壁２００とを有して箱形に形成されている。上面壁１９９は、正面壁１９５及び背面壁１９６の上端にボルト等を介して着脱自在に取り付けられている。正面壁１９５上部及び背面壁１９６上部には、取付ボルト２０１が固定されている。この取付ボルト２０１を介して機体１２に固定された図示省略のブラケットに灌水タンク１９３が取り付けられる。底面壁２００には、灌水タンク１９３内の水を抜くためのドレン栓２０２が設けられている。
【００９４】
右側面壁１９７の右側方には、スプロケット４３が配置されている。スプロケット４３は、灌水タンク１９３を機体幅方向に貫通するカム駆動軸４２に取り付けられている。カム駆動軸４２は、右側面壁１９７及び左側面壁１９８に軸受装置２０３、２０４を介して軸芯回りに回転自在に支持されている。
背面壁１９６の上部であって、左側部には、給水口２０５と、戻し口２０６とが設けられている。これら給水口２０５及び戻し口２０６は管材によって形成されている。給水口２０５は、台車２に搭載された給水タンク３１１内の水を灌水タンク１９３内に取り入れるための部材である。戻し口２０６は、灌水タンク１９３内の水を給水タンク３１１に戻すための部材である。
【００９５】
上述した通り、台車３００には、給水タンク３１１から水を吸い上げるポンプ３１２が
搭載されている。このポンプ３１２の吐出口と給水口２０５とが供給ホース３２０によって接続されている。また、戻し口２０６には、戻りホース２０８の一端が接続され、戻りホース２０８の他端側は、給水タンク３１１に挿入されている。したがって、給水タンク３１１内の水は、給水ポンプ３１３から灌水タンク１９３を経て給水タンク３１１へと循環する。
【００９６】
図２７〜図３１に示すように、水供給装置１９４は、灌水管２０９と、蓋装置２１０と、蓋作動機構２１１と、カム調整機構２１２とを有する。
灌水管２０９は、灌水タンク１９３内の水を苗５の植え付け部分に案内する管部材である。蓋装置２１０は、灌水管２０９の一端側を開閉する装置である。蓋作動機構２１１は、蓋装置２１０を作動させる装置である。カム調整機構２１２は、蓋作動機構２１１を調整する機構である。
【００９７】
図２８に示すように、灌水管２０９は、灌水タンク１９３の前方側に配置されている。また、灌水管２０９は、機体幅方向に一対設けられていて、植付具５５の右側と植付具５５の左側とに配置されている（図２５参照）。図２７及び図２８に示すように、灌水管２０９は、正面壁１９５の下部に固定された第１排水管２１３と、この第１排水管２１３に接続された第２排水管２１４と、この第２排水管２１４に接続された第３排水管２１５とを有する。第１排水管２１３は、一端側が灌水タンク１９３内に挿入されている。この第１排水管２１３の一端側が、灌水タンク１９３内の水を排出する排水口部２１６とされている。
【００９８】
第２排水管２１４は、直管によって構成され、一端側が第１排水管２１３の他端側に挿入されている。この第２排水管２１４の一端側は、ボルト２１７及びナット２１８によって第１排水管２１３の他端側に取り付けられている。第１排水管２１３及び第２排水管２１４は前方に向けて機体外方に傾斜している。
第３排水管２１５は、エルボ管であって、一端が第２排水管２１４の他端に嵌められて固定されている。第３排水管２１５の他端は、機体内方に向けられている。灌水タンク１９３内の水は、第１排水管２１３、第２排水管２１４及び第３排水管２１５を経て苗５の植え付け部分に供給される。植え付け部分とは、苗の周囲（根、葉の周囲）、苗自体（根、葉）を含む。
【００９９】
図２７、図３１、図３２、図３３に示すように、蓋装置２１０は、灌水タンク１９３内に設けられている。この蓋装置２１０は、開閉蓋２１９と、蓋ブラケット２２０と、付勢バネ２２１とを有する。開閉蓋２１９は、排水口部２１６を開閉する部材である。蓋ブラケット２２０は、開閉蓋２１９を支持する部材である。付勢バネ２２１は、開閉蓋２１９を排水口部２１６に押し付ける部材である。
【０１００】
図３１に示すように、開閉蓋２１９は、右及び左の灌水管２０９に対してそれぞれ設けられている。この開閉蓋２１９は、取付プレート２２２と、パッキン２２３と、押え板２２４とを有している。取付プレート２２２にパッキン２２３が重ね合わされると共にパッキン２２３に押え板２２４が重ね合わされている。押え板２２４及びパッキン２２３を貫通して取付プレート２２２にねじ込まれるネジ２２５によって、取付プレート２２２にパッキン２２３が取り付けられている。パッキン２２３を排水口部２１６に押し付けることにより排水口部２１６が閉鎖される。
【０１０１】
図３１に示すように、取付プレート２２２には、枢支プレート２２６が設けられ、この枢支プレート２２６は、蓋ブラケット２２０の下部に枢軸２５９を介して横軸芯回りに回転自在に枢支されている。蓋ブラケット２２０の上部には、ブラケット軸２２７が設けられている。ブラケット軸２２７は、正面壁１９５内面に固定されたブラケットステー２２
８に支持されており、蓋ブラケット２２０は、ブラケット軸２２７回りに揺動可能とされている。
【０１０２】
付勢バネ２２１は、捩りコイルバネから構成され、ブラケット軸２２７に外嵌されている。付勢バネ２２１の一端は、蓋ブラケット２２０に掛止されている。付勢バネ２２１の他端は、ブラケットステー２２８に掛止されている。付勢バネ２２１の付勢力は、開閉蓋２１９を排水口部２１６に押し付ける方向に作用している。
図３１に示すように、蓋作動機構２１１は、灌水タンク１９３内に設けられている。この蓋作動機構２１１は、右及び左の開閉蓋２１９に対してそれぞれ設けられている。蓋作動機構２１１は、カム２２９と、カム係合部２３０とを有する。
【０１０３】
図３４、図３５に示すように、カム２２９は、カム係合部２３０を押動することで開閉蓋２１９を開ける押動部２３１を有する。また、カム２２９は、第１カムプレート２３２と、この第１カムプレート２３２に重ね合わされた第２カムプレート２３３とを有する。第１カムプレート２３２は、円板状の第１基部２３４と、第１基部２３４から外周に向けて張り出した第１部位２３５とを有する。第２カムプレート２３３は、円板状の第２基部２３６と、第２基部２３６から外周に向けて張り出した第２部位２３７とを有する。第１部位２３５及び第２部位２３７によって押動部２３１が構成されている。
【０１０４】
右側及び左側の第１カムプレート２３２は、それぞれ第１筒体２３８に固定されている。各第１筒体２３８には、カム駆動軸４２が嵌め込まれ、第１筒体２３８及びカム駆動軸４２にピン２３９が挿入されている。これにより、第１筒体２３８は、カム駆動軸４２に一体回転自在に支持されている。
右側の第２カムプレート２３３は、第２筒体２４０の右端に固定されている。左側の第２カムプレート２３３は、第２筒体２４０の左端に固定されている。第２筒体２４０は右側の第１筒体２３８と左側の第１筒体２３８とにわたって設けられ且つ右側の第１筒体２３８と左側の第１筒体２３８に相対回転自在に外嵌されている。したがって、第２カムプレート２３３は、第１カムプレート２３２に対してカム２２９（カム駆動軸４２）の回転中心回りに相対回転可能とされている。第２カムプレート２３３を第１カムプレート２３２に対して相対回転することにより、カム２２９の回転中心回りの押動部２３１の長さ２４１が変更可能とされている。
【０１０５】
左側の第１カムプレート２３２は、カム２２９の回転中心を中心とする円弧状の第１ピン挿通孔２４２を２つ有する。左側の第２カムプレート２３３は、円形状の第２ピン挿通孔２４３を有する。第２ピン挿通孔２４３は、第１ピン挿通孔２４２に対応して２つ形成されている。
左側の第１カムプレート２３２の左側方には、係合プレート２４４が設けられている。この係合プレート２４４には、第１ピン挿通孔２４２及び第２ピン挿通孔２４３を挿通する係合ピン２４５が設けられている。係合ピン２４５は、第１ピン挿通孔２４２及び第２ピン挿通孔２４３に対応して２つ設けられている。係合プレート２４４は、カム駆動軸４２の左側に相対回転自在に嵌め込まれた第３筒体２４６の右端に固定されている。第３筒体２４６は、左側の軸受装置２０４を挿通して灌水タンク１９３から左方に突出している。
【０１０６】
図３１、図３２に示すように、カム係合部２３０は、ベアリングローラから構成されている。このカム係合部２３０は、蓋ブラケット２２０の上部であって背面から後方側に延出する係合ブラケット２４７にローラ軸２４８を介して横軸回りに回転自在に取り付けられている。したがって、カム係合部２３０は、ブラケット軸２２７の軸芯回りに開閉蓋２１９と一体揺動する。
【０１０７】
図３１に示すように、カム２２９の押動部２３１以外の部分は、カム係合部２３０には接触しないように構成されている。カム２２９がカム係合部２３０に接触していない場合には、付勢バネ２２１によって開閉蓋２１９が排水口部２１６に押し付けられて、該開閉蓋２１９によって排水口部２１６が閉じられている。
図３７に示すように、カム２２９の押動部２３１がカム係合部２３０に接触してカム係合部２３０を押動すると、蓋ブラケット２２０がブラケット軸２２７回りに回転して開閉蓋２１９が排水口部２１６から離反し、排水口部２１６が開く。これによって、灌水タンク１９３内の水が灌水管２０９を介して苗５の植え付け部分に排水される。
【０１０８】
図３４に示すように、カム調整機構２１２は、灌水タンク１９３の左側の側方に設けられている。図３４、図３６に示すように、カム調整機構２１２は、第１調整プレート２４９と、第２調整プレート２５０とを有する。第１調整プレート２４９は、第３筒体２４６の灌水タンク１９３から左方に突出した部分に一体回転自在に外嵌されている。第２調整プレート２５０は、カム駆動軸４２の第３筒体２４６から左方に突出した部分に一体回転自在に外嵌されている。カム駆動軸４２は、第２調整プレート２５０から左方に突出しており、この第２調整プレート２５０から左方に突出した部分がネジ部２５１とされている。このネジ部２５１には抜け止め用のナット部材２５２が螺合されている。第１調整プレート２４９には、円形状のボルト挿通孔２５３が形成されている。第１調整プレート２４９の右側面には、ネジ穴がボルト挿通孔２５３に一致するナット部材２５４が固定されている。また、第１調整プレート２４９には、第１掴み部２５５が設けられている。
【０１０９】
第２調整プレート２５０には、カム駆動軸４２の軸芯を中心とする円弧状の調整溝２５６が形成されている。この調整溝２５６を調整ボルト２６１が挿通している。この調整ボルト２６１は、ボルト挿通孔２５３を挿通してナット部材２５４に螺合している。また、第２調整プレート２５０には、第２掴み部２５７が設けられている。
調整ボルト１８６を緩めて、第１調整プレート２４９をカム駆動軸４２の軸芯回りに回転させることにより、第３筒体２４６が回転し、係合プレート２４４が回転する。係合プレート２４４が回転すると、第２カムプレート２３３が第１カムプレート２３２に対して相対回転し、押動部２３１の長さ２４１が調整される。これによって、開閉蓋２１９の開き時間、即ち、潅水のタイミングを簡単に調整することができる。
【０１１０】
また、カム調整機構２１２により、灌水タンク１９３の外部から第１カムプレート２３２と第２カムプレート２３３の相対回転調整をすることができる。
また、第２調整プレート２５０には、凹みからなる目印２６０が複数形成されている。これによって、開閉蓋２１９の開き時間の段階的な調整が容易に行うことができる。
灌水タンク１９３には、当該移植機１とは別に設けられた給水タンク９の水を灌水タンク１９３内に給水可能であるので、灌水装置１８の連続作業時間を増やすことができる。また、台車２に給水タンク９を搭載することにより、移植機１に大きな灌水タンク１９３を設ける必要がなく、移植機１に大きな灌水タンク１９３を設けることによる重量アップや重量バランスの不良を防止することができる。
【０１１１】
水供給装置１９４は、肥料供給装置１２１の作動後、即ち、シャッタ１３５の開放後に、開閉蓋２１９を閉鎖状態から開放状態にし、灌水タンク１９３内の水を苗５の植え付け部分に供給する。したがって、施肥及び潅水を行う場合に、肥料が灌水に混ざって苗５の植え付け部分に滞留することを防止でき、苗５の肥料焼けを防止することができる。なお、この実施形態では、肥料供給装置１２１による施肥後に、潅水を行っているが、これに限定されず、潅水後に施肥を行ってもよいし、施肥及び潅水を同時に行ってもよい。
【０１１２】
また、灌水装置１８から排出される水は、排土板６８の背面に当たるように灌水管２０９が配置されている。排土板６８の背面に水を当てることにより、排土板６８に付着した
土を洗い流すことができる。
また、カム２２９の押動部２３１によってカム係合部２３０を押動することで開閉蓋２１９を開け、これによって、灌水タンク１９３内の水を排水口部２１６から排出させるようにすることにより、短時間に多量の水を排出させることができる。
【０１１３】
以上の移植機は、植え付けた苗５の近傍に肥料を供給する施肥装置１７と、植え付けた苗５に灌水する灌水装置１８とを有している。そのため、植付作業と施肥作業と灌水作業とを１つの機械で実施することができる。言い換えれば、植付作業と施肥作業と灌水作業とを同時に行うことができる。例えば、植付作業及び施肥作業を１つの機械で行った後に、別の機械で潅水作業を行う必要がなく、容易に植付、施肥、潅水を行うことができる。
【０１１４】
図３８及び図３９は、台車３００を移植機１の後方で伴走させて移植装置３を構成した場合を示しており、移植機１と台車３００は同一の畝４に沿って走行している。
この場合、ホース支持部材３２３を上述した第１形態（図１１参照）として、供給ホース３２０及び戻りホース３２１をホース支持部材３２３により支持した状態で、台車３００の前方に向けて延設する。供給ホース３２０及び戻りホース３２１の延設端部は、前方を走行する移植機１の灌水装置１８の灌水タンク１９３に接続される。尚、ホース支持部材３２３は、図１２に示すように、左側の側部フレーム３０５ＳＬに沿って取り付けてもよい。
【０１１５】
上記構成からなる移植機１は、上述した通り、台車４００と組み合わせて使用することにより、移植装置３を構成することができる。
図４０は、台車３００を移植機１の左方で伴走させて移植装置３を構成した場合を示しており、移植機１と台車３００は隣り合う異なる畝４に沿って走行している。
この場合、ホース支持部材３２３を上述した第２形態（図１４参照）として、供給ホース３２０及び戻りホース３２１をホース支持部材３２３により支持した状態で、台車３００の左方に向けて延設する。供給ホース３２０及び戻りホース３２１の延設端部は、左前方を走行する移植機１の灌水装置１８の灌水タンク１９３に接続される。
【０１１６】
また、図示していないが、台車３００を移植機１の右方で伴走させて移植装置３を構成することもできる。この場合、図１３に示すように、ホース支持部材３２３を荷台３０１の右方に向けて突出させて、供給ホース３２０及び戻りホース３２１をホース支持部材３２３により支持した状態で台車３００の右方に向けて延設する。
図３８〜図４０に示すように、台車３００を移植機１に伴走させることによって、台車３００に搭載された給水タンク３１１の水を、供給ホース３２０を介して移植機１の灌水装置１８の灌水タンク１９３に供給し、移植機１により畝に植えられた苗に供給することができる。また、灌水タンク１９３内の水を戻りホース３２１を介して給水タンク３１１へと戻すことができる。
【０１１７】
また、供給ホース３２０及び戻りホース３２１をホース支持部材３２３により支持した状態で前方又は側方に延設することで、供給ホース３２０及び戻りホース３２１を地面に下ろさずに、移植機１の灌水装置１８に接続することができる。そのため、供給ホース３２０及び戻りホース３２１が、移植機１や台車３００の走行の妨げになることがない。
更に、台車３００を移植機１に伴走させて移植装置３を構成することにより、移植機１により畝に苗を植え付けた後に、引き続いて台車３００が備えるマルチフィルム敷設装置３０４を使用して、マルチフィルムＭＦを畝に敷設することができるため、作業性に優れている。
【０１１８】
以上本発明について説明したが、今回開示された実施の形態は全ての点で例示であって制限的なものではないと考えられるべきである。本発明の範囲は上記した説明ではなくて
特許請求の範囲によって示され、特許請求の範囲と均等の意味及び範囲内での全ての変更が含まれることが意図される。
【符号の説明】
【０１１９】
１８      灌水装置
３００    台車
３０１    荷台
３０２    走行装置
３０３    原動機
３０４    マルチフィルム敷設装置
３１１    給水タンク
３１４    カバー
３１６    操作レバー
３１７    バンド
３１８    係止部
４００    ツールバー
４０１    支軸
【図１】
0006449721.tif 000002
【図２】
0006449721.tif 000003
【図３】
0006449721.tif 000004
【図４】
0006449721.tif 000005
【図５】
0006449721.tif 000006
【図６】
0006449721.tif 000007
【図７】
0006449721.tif 000008
【図８】
0006449721.tif 000009
【図９】
0006449721.tif 000010
【図１０】
0006449721.tif 000011
【図１１】
0006449721.tif 000012
【図１２】
0006449721.tif 000013
【図１３】
0006449721.tif 000014
【図１４】
0006449721.tif 000015
【図１５】
0006449721.tif 000016
【図１６】
0006449721.tif 000017
【図１７】
0006449721.tif 000018
【図１８】
0006449721.tif 000019
【図１９】
0006449721.tif 000020
【図２０】
0006449721.tif 000021
【図２１】
0006449721.tif 000022
【図２２】
0006449721.tif 000023
【図２３】
0006449721.tif 000024
【図２４】
0006449721.tif 000025
【図２５】
0006449721.tif 000026
【図２６】
0006449721.tif 000027
【図２７】
0006449721.tif 000028
【図２８】
0006449721.tif 000029
【図２９】
0006449721.tif 000030
【図３０】
0006449721.tif 000031
【図３１】
0006449721.tif 000032
【図３２】
0006449721.tif 000033
【図３３】
0006449721.tif 000034
【図３４】
0006449721.tif 000035
【図３５】
0006449721.tif 000036
【図３６】
0006449721.tif 000037
【図３７】
0006449721.tif 000038
【図３８】
0006449721.tif 000039
【図３９】
0006449721.tif 000040
【図４０】
0006449721.tif 000041